【手続補正書】
【提出日】平成22年11月18日(2010.11.18)
【手続補正１】
【補正対象書類名】特許請求の範囲
【補正対象項目名】全文
【補正方法】変更
【補正の内容】
【特許請求の範囲】
【請求項１】
下記の成分の混合物を含む機能液組成物：
（ａ）主要量の潤滑粘度の油、および
（ｂ）摩擦を緩和することのできる量の、下記式で表すことができる一種以上の油溶性アルキルトルエンスルホネート塩：
【化１】
2008127574.tif 000001
［式中、Ｒ1は金属スルホネート基であり、そしてＲ2はアルキル基である］。
【請求項２】
一種以上のアルキルトルエンスルホネート塩が、アルカリ金属塩およびアルカリ土類金属塩から選ばれる請求項１に記載の機能液組成物。
【請求項３】
一種以上のアルキルトルエンスルホネート塩がアルカリ土類金属塩である請求項２に記載の機能液組成物。
【請求項４】
一種以上のアルキルトルエンスルホネート塩がカルシウム塩である請求項３に記載の機能液組成物。
【請求項５】
一種以上のアルキルトルエンスルホネート塩が過塩基性塩である請求項１に記載の機能液組成物。
【請求項６】
一種以上のアルキルトルエンスルホネート塩が、二酸化炭素で過塩基化されている請求項５に記載の機能液組成物。
【請求項７】
一種以上のアルキルトルエンスルホネート塩の各々の全塩基価が、０乃至４００である請求項１に記載の機能液組成物。
【請求項８】
各過塩基性塩の全塩基価が６０乃至４００である請求項５に記載の機能液組成物。
【請求項９】
各過塩基性塩の全塩基価が２５０乃至３８０である請求項８に記載の機能液組成物。
【請求項１０】
各過塩基性塩の全塩基価が３００乃至３５０である請求項９に記載の機能液組成物。
【請求項１１】
一種以上のアルキルトルエンスルホネート塩が、線状オレフィン類をトルエンと反応させることにより合成されたアルキルトルエン前駆体から誘導されたものである請求項１に記載の機能液組成物。
【請求項１２】
線状オレフィン類が、トルエンと反応する前に異性化されている請求項１１に記載の機能液組成物。
【請求項１３】
各線状オレフィン類が単一のオレフィンまたはオレフィン混合物である請求項１１に記
載の機能液組成物。
【請求項１４】
単一のオレフィンがＣ18〜Ｃ30線状アルファオレフィンである請求項１３に記載の機能液組成物。
【請求項１５】
オレフィン混合物のオレフィンが、Ｃ18〜Ｃ30線状アルファオレフィンから選ばれる請求項１３に記載の機能液組成物。
【請求項１６】
各線状オレフィン類のうちの０．５％乃至５０％が、アルファオレフィンである請求項１２に記載の機能液組成物。
【請求項１７】
線状オレフィン類の各々のうちの１．５％乃至３５％が、アルファオレフィンである請求項１６に記載の機能液組成物。
【請求項１８】
各異性化線状オレフィン類のうちの５％乃至８０％が分枝している請求項１２に記載の機能液組成物。
【請求項１９】
各異性化線状オレフィン類のうちの１０％乃至６０％が分枝している請求項１８に記載の機能液組成物。
【請求項２０】
一種以上のアルキルトルエンスルホネート塩を０．１５質量％乃至４．０質量％含む請求項１に記載の機能液組成物。
【請求項２１】
一種以上のアルキルトルエンスルホネート塩を０．５質量％乃至３．５質量％含む請求項２０に記載の機能液組成物。
【請求項２２】
一種以上のアルキルトルエンスルホネート塩を１．５質量％乃至２．５質量％含む請求項２１に記載の機能液組成物。
【請求項２３】
さらに、次の成分から選ばれる一種以上の添加剤を含む請求項１に記載の機能液組成物：（１）酸化防止剤、（２）さび止め添加剤、（３）抗乳化剤、（４）アルキルトルエンスルホネート以外の摩擦緩和添加剤、（５）粘度指数向上剤、（６）多機能添加剤、（７）分散剤、（８）耐摩耗／極圧剤、（９）流動点降下剤、（１０）消泡剤、（１１）清浄剤、および（１２）シール調整剤。
【請求項２４】
組成物の摩擦緩和能力が、塩化物イオンの存在下で実質的に低下することがない請求項１に記載の機能液組成物。
【請求項２５】
組成物の摩擦緩和能力が、最大で１０ｐｐｍの塩化物の存在下で実質的に低下することがない請求項２４に記載の機能液組成物。
【請求項２６】
組成物の摩擦緩和能力が、最大で５０ｐｐｍの塩化物の存在下で実質的に低下することがない請求項２５に記載の機能液組成物。
【請求項２７】
機能液に使用するのに適した摩擦緩和添加剤であって、下記式で表すことができる一種以上の油溶性アルキルトルエンスルホネート塩を含む摩擦緩和添加剤：
【化２】
2008127574.tif 000002
［式中、Ｒ1は金属スルホネート基であり、そしてＲ2はアルキル基である］。
【請求項２８】
一種以上のアルキルトルエンスルホネート塩が、アルカリ金属塩およびアルカリ土類金属塩から選ばれる請求項２７に記載の摩擦緩和添加剤。
【請求項２９】
一種以上のアルキルトルエンスルホネート塩がアルカリ土類金属塩である請求項２８に記載の摩擦緩和添加剤。
【請求項３０】
一種以上のアルキルトルエンスルホネート塩がカルシウム塩である請求項２９に記載の摩擦緩和添加剤。
【請求項３１】
一種以上のアルキルトルエンスルホネート塩が過塩基性塩である請求項２７に記載の摩擦緩和添加剤。
【請求項３２】
一種以上の過塩基性アルキルトルエンスルホネート塩が、二酸化炭素で過塩基化されたものである請求項３１に記載の摩擦緩和添加剤。
【請求項３３】
一種以上のアルキルトルエンスルホネート塩の各々の全塩基価が、０乃至４００である請求項２７に記載の摩擦緩和添加剤。
【請求項３４】
一種以上の過塩基性アルキルトルエンスルホネート塩の各々の全塩基価が、６０乃至４００である請求項３１に記載の摩擦緩和添加剤。
【請求項３５】
一種以上の過塩基性アルキルトルエンスルホネート塩の各々の全塩基価が、２５０乃至３８０である請求項３４に記載の摩擦緩和添加剤。
【請求項３６】
一種以上の過塩基性アルキルトルエンスルホネート塩の各々の全塩基価が、３００乃至３５０である請求項３５に記載の摩擦緩和添加剤。
【請求項３７】
一種以上のアルキルトルエンスルホネート塩が、線状オレフィン類をトルエンと反応させることにより合成されたアルキルトルエン前駆体から誘導されたものである請求項２７に記載の摩擦緩和添加剤。
【請求項３８】
線状オレフィン類が、トルエンと反応する前に異性化されている請求項３７に記載の摩擦緩和添加剤。
【請求項３９】
線状オレフィン類の各々が単一のオレフィンまたはオレフィン混合物である請求項３８に記載の摩擦緩和添加剤。
【請求項４０】
単一のオレフィンがＣ18〜Ｃ30線状アルファオレフィンである請求項３９に記載の摩擦緩和添加剤。
【請求項４１】
オレフィン混合物のオレフィンが、Ｃ18〜Ｃ30線状アルファオレフィンから選ばれる請求項３９に記載の摩擦緩和添加剤。
【請求項４２】
各線状オレフィン類のうちの０．５％乃至５０％が、アルファオレフィンである請求項３８に記載の摩擦緩和添加剤。
【請求項４３】
各線状オレフィン類のうちの１．５％乃至３５％が、アルファオレフィンである請求項４２に記載の摩擦緩和添加剤。
【請求項４４】
各異性化線状オレフィン類のうちの５％乃至８０％が分枝している請求項３８に記載の摩擦緩和添加剤。
【請求項４５】
各異性化線状オレフィン類のうちの１０％乃至６０％が分枝している請求項４４に記載の摩擦緩和添加剤。
【請求項４６】
摩擦緩和添加剤の摩擦緩和能力が、塩化物イオンの存在下で実質的に低下することがない請求項２７に記載の摩擦緩和添加剤。
【請求項４７】
摩擦緩和添加剤の摩擦緩和能力が、最大で１０ｐｐｍの塩化物の存在下で実質的に低下することがない請求項４６に記載の摩擦緩和添加剤。
【請求項４８】
摩擦緩和添加剤の摩擦緩和能力が、最大で５０ｐｐｍの塩化物の存在下で実質的に低下することがない請求項４７に記載の摩擦緩和添加剤。
【請求項４９】
相対的に可動に部分及び継手部分を含む機械内で最適な摩擦特性を遂行し、かつそのような特性を維持する方法であって、下記の工程を含む方法：
（ａ）相対的に可動な部分及び継手部分のうちの少なくとも幾つかの表面を、請求項１に記載の機能液で浸液させる工程、そして
（ｂ）機械を機能液の存在下で作動させる工程。
【請求項５０】
機能液が、トラクタ液、トラクタ作動液、変速機液および油圧作動液から選ばれる請求項４９に記載の方法。
【請求項５１】
機能液がトラクタ作動液である請求項５０に記載の方法。
【請求項５２】
機能液が更に、次の成分から選ばれる一種以上の添加剤を含んでいる請求項４９に記載の方法：（１）酸化防止剤、（２）抗乳化剤、（３）さび止め添加剤、（４）アルキルトルエンスルホネートではない摩擦緩和添加剤、（５）流動点降下剤、（６）粘度指数向上剤、（７）消泡剤、（８）多機能添加剤、（９）耐摩耗／極圧剤、（１０）分散剤、（１１）清浄剤、および（１２）シール調整剤。
【請求項５３】
下記の成分をブレンドすることを含む機能液組成物の製造方法：
（ａ）潤滑粘度の油、および
（ｂ）下記式で表すことができる一種以上の油溶性アルキルトルエンスルホネート塩：
【化３】
2008127574.tif 000003
［式中、Ｒ1は金属スルホネート基であり、そしてＲ2はアルキル基である］。
【請求項５４】
酸化防止剤、さび止め添加剤、アルキルトルエンスルホネート以外の摩擦緩和添加剤、粘度指数向上剤、抗乳化剤、流動点降下剤、耐摩耗／極圧剤、多機能添加剤、消泡剤、清浄剤、シール調整剤および分散剤から選ばれる一種以上の添加剤を、機能液組成物に更にブレンドする請求項５３に記載の方法。
【請求項５５】
０．１５質量％乃至４．０質量％の一種以上のアルキルトルエンスルホネート塩を、機能液組成物にブレンドする請求項５３に記載の方法。
【請求項５６】
０．５質量％乃至３．５質量％の一種以上のアルキルトルエンスルホネート塩を、機能液組成物にブレンドする請求項５５に記載の方法。
【請求項５７】
１．５質量％乃至２．５質量％の一種以上のアルキルトルエンスルホネート塩を、機能液組成物にブレンドする請求項５６に記載の方法。